(57)【特許請求の範囲】
【請求項１】
協調多入出力に基づく無線通信ネットワークのサービス提供ｅＮＢ内で、前記サービス提供ｅＮＢと移動局サービスを協調的に処理する１つまたは複数の協調ｅＮＢとに通信リソースを割り当てるための方法であって、
ａ．前記１つまたは複数の他のｅＮＢ内で、前記サービス提供ｅＮＢと協働するために推奨される少なくとも１つの候補ｅＮＢを決定するステップと、
ｂ．前記少なくとも１つの候補ｅＮＢのリソース関連情報を取得するためのステップと、
ｃ．前記リソース関連情報に従って、前記少なくとも１つの候補ｅＮＢから１つまたは複数の協調ｅＮＢを決定して、前記サービス提供ｅＮＢと前記１つまたは複数の協調ｅＮＢとに対応する通信リソースを割り当てるためのステップとを備える方法。
【請求項２】
前記ステップａの後で、かつ前記ステップｂに先立って、
リソース関連情報要求メッセージを前記少なくとも１つの候補ｅＮＢに送信するステップであって、前記リソース関連情報要求メッセージが、リソース関連情報を前記サービス提供ｅＮＢに送信することを前記少なくとも１つの候補ｅＮＢに要求するために使用されている、送信するステップをさらに備え、  および／または、前記ステップｃが、
前記協調ｅＮＢのそれぞれに割り当てられた対応する通信リソースを表示するためのリソース割当て表示メッセージを前記協調ｅＮＢのそれぞれに送信するステップをさらに備えることを特徴とする、請求項１に記載の方法。
【請求項３】
前記ステップａが、
前記移動局から候補ｅＮＢ表示メッセージを受信するステップであって、前記候補ｅＮＢ表示メッセージが、前記サービス提供ｅＮＢと協働するために、前記移動局によって推奨される少なくとも１つの候補ｅＮＢを表示するために使用される、受信するステップと、
前記候補ｅＮＢ表示メッセージに従って、前記少なくとも１つの候補ｅＮＢを決定するステップとをさらに備え、  または、前記ステップａが、
ａ１．前記移動局と前記サービス提供ｅＮＢとの間、および前記移動局と１つまたは複数の他のｅＮＢとの間の信号品質関連情報を取得するステップと、
ａ２．前記信号品質関連情報に従って、前記１つまたは複数の他のｅＮＢ内で、前記サービス提供ｅＮＢと協働するために推奨される少なくとも１つの候補ｅＮＢを決定するステップとをさらに備えることを特徴とする、請求項１または２のいずれか１項に記載の方法。
【請求項４】
前記信号品質関連情報が、前記移動局と前記１つまたは複数の他のｅＮＢとの間の信号品質を表示するための情報を含み、前記ステップａ２が、
ａ２１．前記信号品質関連情報が、前記移動局と、前記１つまたは複数の他のｅＮＢ内の少なくとも１つの他のｅＮＢとの間の信号品質が第１の所定のしきい値を超えることを表示するとき、前記少なくとも１つの他のｅＮＢを、前記サービス提供ｅＮＢと協働するために推奨される少なくとも１つの候補ｅＮＢとして決定するステップをさらに備えることを特徴とする、請求項３に記載の方法。
【請求項５】
前記ステップａ２１の後で、
ａ２２．１つまたは複数の他のｅＮＢの中で、前記移動局とのその信号品質が前記第１の所定の値未満である１つまたは複数の他のｅＮＢに対応する１つまたは複数の信号品質と、前記少なくとも１つの候補基地の中で、前記移動局とのその信号品質が最悪である候補ｅＮＢの候補信号品質との間の前記異なる値が第２の所定のしきい値未満であるかどうかを判定するステップと、
ａ２３．１つまたは複数の信号品質の中で、前記第１の所定の値以下である少なくとも１つの信号品質と前記候補信号品質との間の前記異なる値が前記第２の所定のしきい値未満である場合、少なくとも１つの信号品質に対応する少なくとも１つの他のｅＮＢを、前記サービス提供ｅＮＢと協働するために推奨される前記少なくとも１つの候補ｅＮＢと見なすステップとをさらに備えることを特徴とする、請求項４に記載の方法。
【請求項６】
前記リソース関連情報が、前記少なくとも１つの候補ｅＮＢの現在のリソース占有状態を示すために使用され、前記ステップｃが、
ｃ１．前記少なくとも１つの候補ｅＮＢの前記現在のリソース占有状態に従って、前記候補ｅＮＢと前記サービス提供ｅＮＢとの間に共通の利用可能なリソースが存在するかどうかを判定するステップと、
ｃ２．前記１つまたは複数の候補ｅＮＢを、前記移動局にサービス提供するために前記サービス提供ｅＮＢと協働するための協調ｅＮＢと見なし、前記少なくとも１つの候補ｅＮＢの１つまたは複数の候補ｅＮＢと前記サービス提供ｅＮＢとの間に前記同じ共通の利用可能なリソースが存在する場合、前記同じ共通の利用可能なリソースに従って、前記サービス提供ｅＮＢと前記それぞれの協調ｅＮＢとに対応する共通の通信リソースを割り当てるステップとをさらに備えることを特徴とする、請求項１乃至５のいずれか１項に記載の方法。
【請求項７】
前記信号品質関連情報が、前記ステップｃ１の後で、前記移動局と前記１つまたは複数の他のｅＮＢとの間の信号品質を表示するための情報を含み、
ｃ２’．前記信号品質に従って、複数の候補ｅＮＢの中で、前記移動局とのその信号品質が最善である候補ｅＮＢを、前記移動局にサービス提供するために前記サービス提供ｅＮＢと協働するための協調ｅＮＢとして選択し、前記少なくとも１つの候補ｅＮＢの複数の候補ｅＮＢのそれぞれと前記サービス提供ｅＮＢとの間に共通の利用可能なリソースが存在し、いずれの２つの前記複数の候補ｅＮＢの間にも共通の利用可能なリソースが存在しない場合、協調ｅＮＢに対応する前記共通の利用可能なリソースに従って、前記サービス提供ｅＮＢと前記協調ｅＮＢとに対応する共通の通信リソースを割り当てるステップをさらに備えることを特徴とする、請求項６に記載の方法。
【請求項８】
前記ステップｃ１の後で、
ｃ２’’、前記少なくとも１つの候補ｅＮＢのすべてと前記サービス提供ｅＮＢとの間に共通の利用可能なリソースが存在するというわけではない場合、最大数の候補ｅＮＢおよび前記サービス提供ｅＮＢに割り当てられた共通の利用可能なリソースに対応するそれぞれの候補ｅＮＢを、前記移動局にサービス提供するために前記サービス提供ｅＮＢと協働するための協調ｅＮＢと見なして、前記共通の利用可能なリソースに従って、前記サービス提供ｅＮＢと前記協調ｅＮＢのそれぞれとに対応する共通の通信リソースを割り当てるステップをさらに備えることを特徴とする、請求項６に記載の方法。
【請求項９】
前記共通の通信リソースが、複数の時間周波数リソースブロックを含み、前記ステップｃ１に先立って、前記方法が、
Ｉ．前記移動局によって要求された前記サービスのサービス関連情報の品質を取得するステップをさらに備え、
前記サービス提供ｅＮＢと前記協調ｅＮＢのそれぞれに対応する共通の通信リソースを前記割り当てるステップが、
前記サービス関連情報の品質に従って、前記１つまたは複数の協調ｅＮＢに対応する前記共通の利用可能なリソースの時間周波数リソースブロックの一部またはすべてを、前記サービス提供ｅＮＢおよび前記１つまたは複数の協調ｅＮＢに割り当てるステップをさらに備えることを特徴とする、請求項６乃至８のいずれか１項に記載の方法。
【請求項１０】
協調多入出力に基づく無線通信ネットワークの候補ｅＮＢ内で、サービス提供ｅＮＢが前記サービス提供ｅＮＢと移動局サービスを協調的に処理する１つまたは複数の協調ｅＮＢとに通信リソースを割り当てる際に支援するための方法であって、
Ｂ．リソース関連情報を前記サービス提供ｅＮＢに送信するステップを備える方法。
【請求項１１】
前記ステップＢに先立って、
Ａ．前記サービス提供ｅＮＢからりリソース関連情報要求メッセージを取得するステップであって、前記リソース関連情報要求メッセージが、リソース関連情報を前記サービス提供ｅＮＢに送信することを前記候補ｅＮＢに要求するために使用される、取得するステップをさらに備えることを特徴とする、請求項１０に記載の方法。
【請求項１２】
前記ステップＢの後で、
前記サービス提供ｅＮＢからリソース割当て表示メッセージを取得するステップであって、前記リソース割当て表示メッセージが、前記候補ｅＮＢを前記協調ｅＮＢとして表示して、前記協調ｅＮＢに割り当てられた対応する通信リソースを表示するために使用される、取得するステップと、
前記候補ｅＮＢを前記移動局にサービス提供するために前記サービス提供ｅＮＢと協働するための協調ｅＮＢとして決定して、前記リソース割当て表示メッセージに従って、前記対応する通信リソースを用いて、前記移動局にサービス提供するために、前記サービス提供ｅＮＢと協働するステップとをさらに備えることを特徴とする、請求項１０または１１に記載の方法。
【請求項１３】
協調多入出力に基づく無線通信ネットワークの移動局内で、サービス提供ｅＮＢが、前記サービス提供ｅＮＢと移動局サービスを協調的に処理する１つまたは複数の協調ｅＮＢとに通信リソースを割り当てる際に支援するための方法であって、
Ｏ．前記移動局と前記サービス提供ｅＮＢとの間、および前記移動局と１つまたは複数の他のｅＮＢとの間の信号品質関連情報を測定するステップと、
Ｐ．前記信号品質関連情報に従って、前記サービス提供ｅＮＢと協働するために推奨される少なくとも１つの候補ｅＮＢを決定するステップと、
Ｑ．前記少なくとも１つの候補ｅＮＢに従って、前記少なくとも１つの候補ｅＮＢを表示するための候補ｅＮＢ表示情報を生成して、前記候補ｅＮＢ表示情報を前記サービス提供基地局に送信するステップとを備える方法。
【請求項１４】
前記信号品質関連情報が、前記移動局と前記１つまたは複数の他のｅＮＢとの間の信号品質を表示するための情報を含み、前記ステップＰが、
Ｐ１．前記信号品質関連情報が、前記移動局と前記１つまたは複数の他のｅＮＢ内の少なくとも１つの他のｅＮＢとの間の信号品質が第１の所定のしきい値を超えることを表示するとき、前記少なくとも１つの他のｅＮＢを、前記サービス提供ｅＮＢと協働するために推奨される少なくとも１つの候補ｅＮＢとして決定するステップを備えることを特徴とする、請求項１３に記載の方法。
【請求項１５】
前記ステップＰ１の後で、
Ｐ２．１つまたは複数の他のｅＮＢの中で、前記移動局とのその信号品質が第１の所定の値未満である１つまたは複数の他のｅＮＢに対応する１つまたは複数の信号品質と、少なくとも１つの候補基地の中で、前記移動局とのその信号品質が最悪である候補ｅＮＢの候補信号品質との間の前記異なる値が前記第２の所定のしきい値未満であるかどうかを判定するステップと、
Ｐ３．１つまたは複数の信号品質の中で、前記第１の所定の値未満である少なくとも１つの信号品質と前記候補信号品質との間の前記異なる値が第２の所定のしきい値未満である場合、前記少なくとも１つの信号品質に対応する少なくとも１つの他のｅＮＢを、前記サービス提供ｅＮＢと協働するために推奨される前記少なくとも１つの候補ｅＮＢと見なすステップとをさらに備えることを特徴とする、請求項１４に記載の方法。
【発明の詳細な説明】
【技術分野】
【０００１】
本発明は、通信ネットワークに関し、特に、無線ＭＩＭＯ通信ネットワークに関する。
【背景技術】
【０００２】
ＩＭＴアドバンスト（インターナショナル・モバイル・テレコミュニケーションズ・アドバンスト（Ｉｎｔｅｒｎａｔｉｏｎａｌ  Ｍｏｂｉｌｅ  Ｔｅｌｅｃｏｍｍｕｎｉｃａｔｉｏｎｓ−ａｄｖａｎｃｅｄ））において、協調ＭＩＭＯ（多入出力）解決法は、ＩＣＩ（セル間干渉）を低減させる目的で、複数のｅＮＢ間の協調を介して１つまたは複数の移動局（ＭＳ）にデータサービスを提供するために、複数のｅＮＢ（以下、ｅＮＢと呼ばれる進化型ノードＢ）を使用することによって、システム受信範囲とスペクトル効率性とを改善するための効率的な方法になる。協調ＭＩＭＯ伝送を実施するために、協調ＭＩＭＯを実行する複数のｅＮＢに同じリソースが割り当てられること、すなわち、リソース同期が必要である。
【０００３】
いわゆる協調ＭＩＭＯは、ｅＮＢとＭＳが両方とも複数のアンテナを有し、少なくとも複数のｅＮＢが１つのＭＳと通信し、１つのｅＮＢが１つまたは複数のＭＳと通信することを意味する。協調ＭＩＭＯでは、１つのＭＳのサービス提供ｅＮＢは、協調ＭＩＭＯ伝送に参加することを隣り合うセルｅＮＢに要求して、この協調ＭＩＭＯのために割り当てられたリソースを協調ＭＩＭＯに参加することを要求した隣り合うセルｅＮＢに表示する。サービス提供ｅＮＢによって隣り合うセルｅＮＢに割り当てられたリソースと隣り合うセルｅＮＢのリソースとの間に衝突が存在しない場合、このＭＳに関する協調ＭＩＭＯ伝送を確立することが可能である。図１を参照すると、図１は、説明のために伝統的な六角形セルモデルを例にとり、伝統的なセルラセルのトポロジの概略図を示す。それぞれのＭＳは、１つのサービス提供ｅＮＢだけを有し、ＭＳのそのサービス提供ｅＮＢは、ＭＳの初期のアクセスの間に決定され、ＭＳは、ＭＳの移動に伴って、元のソースサービス提供ｅＮＢから新しいオブジェクトｅＮＢにハンドオーバすることが可能である。説明のためにＭＳ２ａを例にとることができる。ＭＳ２のサービス提供ｅＮＢはｅＮＢ１ａであり、ネットワークモデルは六角形構造のものであるため、多くても１つのサービス提供ｅＮＢは、そのサービス提供ｅＮＢとの協調ＭＩＭＯに参加することが可能な２つの隣り合うセルを有し、隣り合うセルｅＮＢはそのサービス提供ｅＮＢと共に協調ＭＩＭＯを実行し、そのサービス提供ｅＮＢは、１つの協調セルクラスタを構成する。当然、実際のネットワークでは、サービス提供ｅＮＢは、（以下、隣り合うセルｅＮＢと呼ばれる）複数の隣り合うｅＮＢを有し得る。図１に示すように、点線の楕円形フレームは、サービス提供ｅＮＢ１ａと、隣り合うセルｅＮＢ１ｂおよび１ｃとによって構成される、ＭＳ２ａに関して協調ＭＩＭＯサービスを実行する協調セルクラスを示す。この協調セルクラスタでは、サービス提供ｅＮＢ１ａがこの協調ＭＩＭＯ伝送のためのリソース割当てを決定する。
【０００４】
図１に示す隣り合うセルｅＮＢ１ｂを１つの協調セルクラスタ内のサービス提供ｅＮＢと見なすことも可能であり、その協調セルクラスタ内でそのサービス提供ｅＮＢによって支配される（図示されない）ＭＳを決定する。それぞれのサービス提供ｅＮＢがそれぞれリソースを割り当てるとき、リソース衝突を引き起こし、結果として、ＣＯ−ＭＩＭＯ障害をもたらしやすい。
【０００５】
ＣＯ−ＭＩＭＯに関する既存のリソース割当て様式が図２に示され、斜線を用いた影は、サービス提供ｅＮＢとしてｅＮＢ１ａによってＣＯ−ＭＩＭＯに関して使用可能なリソースを示し、空白領域は、サービス提供ｅＮＢとしてｅＮＢ１ｂによってＣＯ−ＭＩＭＯに関して使用可能なリソースを示し、縦線を用いた影は、サービス提供ｅＮＢとしてｅＮＢ１ｃによってＣＯ−ＭＩＭＯに関して使用可能なリソースを示し、すなわち、それぞれのｅＮＢは、協調ＭＩＭＯに割り当てることが可能なリソース領域として固定リソースの一部を予約すると同時にサービス提供ｅＮＢとして機能し、他のｅＮＢとの協調ＭＩＭＯのために使用されることになるそれぞれのサービス提供ｅＮＢに割り当てられた、予約されたリソース領域は、すべて互いに直交であり、すなわち、協調ＭＩＭＯのためのリソースの衝突が存在しないことを保証するために、いずれの２つのリソース領域の間にも重複部分は存在しない。しかし、所定の領域において協調ＭＩＭＯのためにセルクラスタ内でサービス提供ｅＮＢおよび協調ｅＮＢのリソース割当てを画定するリソース割当て様式の効率は、非常に低い。その不利点は以下のとおりである。
協調ＭＩＭＯ通信を所望しているＭＳが存在しないか、または少数しか存在しない場合、予約されたリソースは無駄になる。
サービス提供ｅＮＢによって支配された、協調ＭＩＭＯを所望しているＭＳが１つのセル内に多く存在し過ぎる場合、このサービス提供ｅＮＢに関して予約されたリソースは、協調ＭＩＭＯの要件を満たさないことになり、その結果、協調ＭＩＭＯ障害を引き起こす。
さらに、この所定の固定方式において、初期の予約されたリソース領域をどのように効果的に画定するかが問題である。
【発明の概要】
【課題を解決するための手段】
【０００６】
先行技術における前述の問題を解決するために、本発明は、まず、サービス提供ｅＮＢが、１つまたは複数の他のｅＮＢ内で、そのサービス提供ｅＮＢと協調するために推奨される少なくとも１つの候補ｅＮＢを決定し、次いで、その少なくとも１つの候補ｅＮＢのリソース関連情報を取得し、次いで、そのリソース関連情報に従って、その少なくとも１つの候補ｅＮＢから１つまたは複数の協調ｅＮＢを決定し、そのサービス提供ｅＮＢとその１つまたは複数の協調ｅＮＢとに対応する通信リソースを割り当てることを提案する。
【０００７】
本発明の第１の態様によれば、協調多入出力に基づく無線通信ネットワークのサービス提供ｅＮＢ内で、そのサービス提供ｅＮＢと移動局サービスを協調的に処理する１つまたは複数の協調ｅＮＢとに通信リソースを割り当てるための方法が提供され、この方法は、１つまたは複数の他のｅＮＢ内で、そのサービス提供ｅＮＢと協働するために推奨される少なくとも１つの候補ｅＮＢを決定するステップと、その少なくとも１つの候補ｅＮＢのリソース関連情報を取得するステップと、そのリソース関連情報に従って、その少なくとも１つの候補ｅＮＢから１つまたは複数の協調ｅＮＢを決定して、そのサービス提供ｅＮＢとその１つまたは複数の協調ｅＮＢとに対応する通信リソースを割り当てるステップとを備える。
【０００８】
本発明の第２の態様によれば、協調多入出力に基づく無線通信ネットワークの候補ｅＮＢ内で、サービス提供ｅＮＢがそのサービス提供ｅＮＢと移動局サービスを協調的に処理する１つまたは複数の協調ｅＮＢとに通信リソースを割り当てる際に支援するための方法が提供され、この方法は、リソース関連情報をそのサービス提供ｅＮＢに送信するステップを備える。
【０００９】
本発明の第３の態様によれば、協調多入出力に基づく無線通信ネットワークの移動局内で、サービス提供ｅＮＢがそのサービス提供ｅＮＢと移動局サービスを協調的に処理する１つまたは複数の協調ｅＮＢとに通信リソースを割り当てる際に支援するための方法が提供され、この方法は、その移動局とそのサービス提供ｅＮＢとの間、およびその移動局と１つまたは複数の他のｅＮＢとの間の信号品質関連情報を測定するステップと、その信号品質関連情報に従って、そのサービス提供ｅＮＢと協働するために推奨される少なくとも１つの候補ｅＮＢを決定するステップと、その少なくとも１つの候補ｅＮＢに従って、その少なくとも１つの候補ｅＮＢを表示するための候補ｅＮＢ表示情報を生成して、その候補ｅＮＢ表示情報をそのサービス提供基地局に送信するステップとを備える。
【００１０】
本発明の第４の態様によれば、協調多入出力に基づく無線通信ネットワークのサービス提供ｅＮＢ内で、そのサービス提供ｅＮＢと、移動局サービスを協調的に処理する１つまたは複数の協調ｅＮＢとに通信リソースを割り当てるための第１の協調デバイスが提供され、そのデバイスは、１つまたは複数の他のｅＮＢ内で、そのサービス提供ｅＮＢと協働するために推奨される少なくとも１つの候補ｅＮＢを決定するように構成された、候補ｅＮＢを決定するための手段と、その少なくとも１つの候補ｅＮＢのリソース関連情報を取得するように構成された、リソース情報を取得するための手段と、そのリソース関連情報に従って、その少なくとも１つの候補ｅＮＢからその１つまたは複数の協調ｅＮＢを決定して、そのサービス提供ｅＮＢとその１つまたは複数の協調ｅＮＢとに対応する通信リソースを割り当てるように構成された、処理するための手段とを備える。
【００１１】
本発明の第５の態様によれば、協調多入出力に基づく無線通信ネットワークの候補ｅＮＢ内で、サービス提供ｅＮＢがそのサービス提供ｅＮＢと移動局サービスを協調的に処理する１つまたは複数の協調ｅＮＢとに通信リソースを割り当てる際に支援するための第２の協調デバイスが提供され、そのデバイスは、リソース関連情報をそのサービス提供ｅＮＢに送信するように構成された、リソース情報を送信するための手段を備える。
【００１２】
本発明の第６の態様によれば、協調多入出力に基づく無線通信ネットワークの移動局内で、サービス提供ｅＮＢがそのサービス提供ｅＮＢと移動局サービスを協調的に処理する１つまたは複数の協調ｅＮＢとに通信リソースを割り当てる際に支援するための支援デバイスが提供され、そのデバイスは、その移動局とそのサービス提供ｅＮＢとの間、およびその移動局と１つまたは複数の他のｅＮＢとの間の信号品質関連情報を測定するように構成された、測定するための手段と、その信号品質関連情報に従って、そのサービス提供ｅＮＢと協働するために推奨される少なくとも１つの候補ｅＮＢを決定するように構成された、推奨するための手段と、その少なくとも１つの候補ｅＮＢに従って、その少なくとも１つの候補ｅＮＢを表示するための候補ｅＮＢ表示情報を生成して、その候補ｅＮＢ表示情報をそのサービス提供基地局に送信するように構成された、送信するための手段とを備える。
【００１３】
本発明による解決法は、協調ＭＩＭＯのために特別なリソースを予約する必要がなく、リソースの浪費を削減し、異なるサービス提供ｅＮＢによって柔軟に協調ＭＩＭＯを実施するためのリソースに対する需要を満たし、協調ＭＩＭＯを実施する成功率を高める。
【００１４】
以下の図面を参照して、非限定的な実施形態の詳細な説明を読むことによって、本発明のその他の特徴、目的、および利点が明らかにあるであろう。
【図面の簡単な説明】
【００１５】
【図１】伝統的なセルラセルのトポロジの概略図である。
【図２】既存のリソース割当て様式を示す図である。
【図３】本発明の１つの詳細な実施形態によるシステム方法の流れ図である。
【図４】本発明のもう１つの詳細な実施形態による、ステップＳ１２からステップＳ１５の方法の流れ図である。
【図５Ａ】サービス提供ｅＮＢと候補ｅＮＢとの間の共通の利用可能なリソースのシナリオを示す図である。
【図５Ｂ】サービス提供ｅＮＢと候補ｅＮＢとの間の共通の利用可能なリソースのシナリオを示す図である。
【図５Ｃ】サービス提供ｅＮＢと候補ｅＮＢとの間の共通の利用可能なリソースのシナリオを示す図である。
【図６】本発明の詳細な実施形態のデバイスのブロック図である。
【発明を実施するための形態】
【００１６】
図面において、同じまたは類似の参照符号は、同じもしくは類似のデバイス（モジュール）またはステップを指す。
【００１７】
図１を参照して、本発明のネットワーク・トポロジが以下のように説明される。説明のためにＭＳ２ａを例にとる。ｅＮＢ１ａは、ＭＳ２ａのサービス提供ｅＮＢであり、さらに、ＭＳ２ａは、他の隣り合うｅＮＢ、すなわち、ｅＮＢ１ｂおよびｅＮＢ１ｃを含めて、ｅＮＢ１ａの隣り合うセルｅＮＢから信号を受信することも可能である。ＬＴＥアドバンスト・システムにおいて、ｅＮＢ１ａは、Ｘ２インターフェースを経由して、ｅＮＢ１ｂおよびｅＮＢ１ｃと相互接続する。
【００１８】
以下、図３を参照して、かつ図１と組み合わせて、本発明のシステム方法の流れ図が以下のように説明される。図３は、本発明の１つの詳細な実施形態によるシステム方法の流れ図を示す。
【００１９】
ステップＳ１０において、ＭＳ２ａは、ＭＳ２ａとサービス提供ｅＮＢ１ａとの間、およびＭＳ２ａと他のｅＮＢのそれぞれとの間の信号品質関連情報をそれぞれ測定する。この実施形態において、信号品質関連情報は信号強度を用いて例示される。この場合、これは単なる例示であり、信号品質関連情報は前述の内容に限定されず、ＲＳＳＩ（受信信号強度表示）、ＲＳＲＰ（参照信号の受信電力）、ＣＱＩ（チャネル品質表示）、またはＣＳＩ（チャネル状態表示）であってもよい点を理解されよう。
【００２０】
ＭＳ２ａは、セルエッジ領域に配置され、例えば、それぞれ、１１０ｄＢｍ、９２ｄＢｍ、８５ｄＢｍ、および５０ｄＢｍである、サービス提供ｅＮＢ１ａとの信号強度と、隣り合うセルｅＮＢ１ｂ、１ｃ、および１ｄのそれぞれとの信号強度とを検出することが可能である。
【００２１】
次いで、ステップＳ１１において、ＭＳ２ａは、サービス提供ｅＮＢ１ａとの信号品質関連情報と、複数の他のｅＮＢのそれぞれとの信号品質関連情報とをｅＮＢ１ａに報告する。この信号品質関連情報は、この実施形態ではＲＳＳＩである、報告された測定値のタイプを含み、測定値をさらに含む。
【００２２】
詳細には、ＭＳ２ａが報告するときは、以下の２つの様式に分割可能である。
【００２３】
事象トリガ
ネットワーク・エントリの段階で、ＭＳ２ａは、複数のｅＮＢ間で協調ＭＩＭＯを実行するために、その信号強度が第３の所定のしきい値を超える他のｅＮＢと、これらのｅＮＢに対応する信号強度とをサービス提供ｅＮＢ１ａに報告する必要があることを知る。例えば、ＭＳ２ａ内に事前に格納された、報告されたしきい値は８０ｄＢｍであり、すなわち、ＭＳ２ａが、ｅＮＢに対応する信号強度が８０ｄＢｍを超えることを検出するとき、ＭＳ２ａは、このｅＮＢと、このｅＮＢに対応する信号強度とをサービス提供ｅＮＢ１ａに報告することになる。例えば、ＭＳ２ａが、隣り合うセルｅＮＢ１ｂ、１ｃ、および１ｄとの信号強度がそれぞれ９２ｄＢｍ、８５ｄＢｍ、および５０ｄＢｍであることを検出するとき、アップリンク・シグナリング・オーバヘッドを削減させて、協調ＭＩＭＯの信頼性を増大させるために、ＭＳ２ａは、良好な信号品質を有する隣り合うセルｅＮＢ、すなわち、ｅＮＢ１ｂとｅＮＢ１ｃとを含めて、その信号強度が第３の所定のしきい値を超えるｅＮＢと、ＭＳ２ａとｅＮＢ１ｂとの間の信号強度と、ＭＳ２ａとｅＮＢ１ｃとの間の信号強度とだけをサービス提供ｅＮＢ１ａに報告する。したがって、ＭＳ２ａは、ＭＳ２ａとのその信号強度が、それぞれ、１１０ｄＢｍ、９２ｄＢｍ、および８５ｄＢｍである、サービス提供ｅＮＢ１ａと、他のｅＮＢ１ｂおよび１ｃとをサービス提供ｅＮＢ１ａに報告する。
【００２４】
または、異なる実施形態では、ＭＳ２ａがその測定された信号強度が最強である２つの隣り合うセルｅＮＢの信号強度だけを報告することを指定することが可能である。やはり前述のパラメータを例にとり、この場合、ＭＳ２ａは、それぞれ、１１０ｄＢｍ、９２ｄＢｍ、および８５ｄＢｍである、サービス提供ｅＮＢ１ａと、その信号強度が最強である２つの隣り合うセルｅＮＢの信号強度とをサービス提供ｅＮＢ１ａに報告する。
【００２５】
さらに、別法として、システムのアップリンク・シグナリング・オーバヘッドが考慮されない場合、ＭＳ２ａが隣り合うセルｅＮＢからの信号を検出すると、ＭＳ２ａは、この隣り合うセルｅＮＢと、この隣り合うセルｅＮＢに対応する信号強度とをサービス提供ｅＮＢ１ａに報告することが可能であり、すなわち、ＭＳ２ａは、検出された信号強度のすべてと、これらの検出された信号強度に対応するｅＮＢとをサービス提供ｅＮＢ１ａに報告する。例えば、ＭＳ２ａは、それぞれ、１１０ｄＢｍ、９２ｄＢｍ、８５ｄＢｍ、および５０ｄＢｍである、サービス提供ｅＮＢ１ａ、ならびにｅＮＢ１ｂ、１ｃ、および１ｄとの信号強度を報告する。
【００２６】
周期的トリガ
ＭＳ２ａは、測定報告を送信するためのタイマを備え、このタイマが所定の時間に達したとき、それは、ＭＳ２ａが、複数の他のｅＮＢの検出された信号品質関連情報をサービス提供ｅＮＢ１ａに報告する必要があることを意味する。例えば、このタイマが切れた場合、ＭＳ２ａは、それぞれ、１１０ｄＢｍ、９２ｄＢｍ、および８５ｄＢｍである、サービス提供ｅＮＢ１ａ、他のｅＮＢ１ｂおよび１ｃのそれぞれとＭＳ２ａとの間の信号強度をサービス提供ｅＮＢ１ａに報告するか、またはＭＳ２ａは、それぞれ、１１０ｄＢｍ、９２ｄＢｍ、８５ｄＢｍ、および５０ｄＢｍである、サービス提供ｅＮＢ１ａ、ｅＮＢ１ｂ、１ｃおよび１ｄのそれぞれとの信号強度を報告する。
【００２７】
次いで、ステップＳ１２において、サービス提供ｅＮＢ１ａは、ＭＳ２ａによって報告された信号品質関連情報に従って、ｅＮＢ１ｂおよび１ｃを候補ｅＮＢとして決定する。
【００２８】
詳細には、第１の所定のしきい値は、サービス提供ｅＮＢ１ａ内に事前に格納され、この第１の所定のしきい値は、物理的な信号強度に従って、サービス提供ｅＮＢ１ａと共にＭＳ２ａのサービスを協調的に処理するために、このサービス提供ｅＮＢ１ａによって所望される候補ｅＮＢを選択するために使用される。サービス提供ｅＮＢ１ａが候補ｅＮＢを選択するとき、少なくともＲＳＳＩ値の大きさが考慮され、さらに、サービス提供ｅＮＢ１ａは、ｅＮＢ１ｂとｅＮＢ１ｃとの間の信号強度の差分値を考慮する必要がある場合もある。
【００２９】
例えば、サービス提供ｅＮＢ１ａ内に事前に格納された第１の所定のしきい値は９０ｄＢｍであり、第２の所定のしきい値は１０ｄＢｍである。第２の所定のしきい値は、複数の他のｅＮＢ間の信号強度の差分レベルを判定するために使用される。
【００３０】
やはり前述のパラメータを例にとる。サービス提供ｅＮＢ１ａは、まず、他のｅＮＢからの信号強度が第１の所定のしきい値９０ｄＢｍよりも高いかどうかを判定する。
【００３１】
両方の隣り合うセルｅＮＢの信号強度が第１の所定のしきい値よりも高い場合、これらの２つの隣り合うセルｅＮＢは両方とも候補ｅＮＢと見なされる。例えば、図１に示すようなＭＳ２ｂの場合、ＭＳ２ｂは、サービス提供ｅＮＢ１ａ、他のｅＮＢ１ｄおよび１ｅのそれぞれとの信号強度をサービス提供ｅＮＢ１ａに報告する。サービス提供ｅＮＢ１ａによって、かつＭＳ２ｂの報告から取得された、ＭＳ２ｂと隣り合うセルｅＮＢ１ｄおよび１ｅのそれぞれとの間の信号強度が、それぞれ、両方とも９０ｄＢｍより高い９５ｄＢｍおよび１０５ｄＢｍである場合、サービス提供ｅＮＢ１ａは、ｅＮＢ１ｄおよび１ｅを両方とも候補ｅＮＢと見なす。
【００３２】
２つの隣り合うセルｅＮＢの１つのｅＮＢだけの信号強度が第１の所定のしきい値よりも高く、これらの２つの隣り合うセルｅＮＢの信号強度間の差分値が第２の所定のしきい値よりも高い場合、その信号強度が第１の所定のしきい値よりも高いｅＮＢが候補ｅＮＢと見なされる。例えば、図１に示すようなＭＳ２ｃの場合、ＭＳ２ｃは、サービス提供ｅＮＢ１ａ、他のｅＮＢ１ｂおよび１ｇのそれぞれとの信号強度をサービス提供ｅＮＢ１ａに報告する。ＮＢ１ａによって、かつＭＳ２ｃの報告から取得された、ＭＳ２ｃと隣り合うセルｅＮＢ１ｂおよび１ｇのそれぞれとの間の信号強度が、それぞれ、１００ｄＢｍおよび８０ｄＢｍであり、１００ｄＢｍだけが９０ｄＢｍより高く、これらの２つの信号強度の差分値が、第２の所定のしきい値１０ｄＢｍよりも高い２０ｄＢｍである場合、サービス提供ｅＮＢ１ａは、他のｅＮＢ１ｂだけを候補ｅＮＢと見なす。
【００３３】
２つの隣り合うセルｅＮＢの１つのｅＮＢだけの信号強度が第１の所定のしきい値よりも高く、これらの２つの隣り合うセルｅＮＢの信号強度間の差分値が第２の所定のしきい値未満である場合、サービス提供ｅＮＢは、２つの隣り合うセルｅＮＢを両方とも候補ｅＮＢと見なす。例えば、ＭＳ２ａの場合、ＭＳ２ａは、サービス提供ｅＮＢ１ａ、他のｅＮＢ１ｂおよび１ｃのそれぞれとの信号強度をサービス提供ｅＮＢ１ａに報告する。サービス提供ｅＮＢ１ａによって、かつＭＳ２ａの報告から取得された、ＭＳ２ａと隣り合うセルｅＮＢ１ｂおよび１ｃのそれぞれとの間の信号強度が、それぞれ、９２ｄＢｍおよび８５ｄＢｍであり、９２ｄＢｍだけが９０ｄＢｍよりも高く、これらの２つの信号強度の差分値が第２の所定のしきい値１０ｄＢｍ未満である７ｄＢｍである場合、サービス提供ｅＮＢ１ａは、他のｅＮＢ１ｂおよび１ｃを両方とも候補ｅＮＢと見なす。この実施は隣り合うセルｅＮＢの信号強度に対する制限を広げる。というのも、２つの隣り合うセルｅＮＢのそれぞれの信号強度の異なる値は第２の所定のしきい値未満であり、信号強度は互いに対して相対的に近く、その結果、１つの信号は強すぎ、もう１つは弱すぎるという理由で、より弱い信号を覆い隠さないことになるためである。
【００３４】
次いで、ステップＳ１３において、サービス提供ｅＮＢ１ａは、リソース関連情報要求メッセージをｅＮＢ１ｂとｅＮＢ１ｃとに送信する。
【００３５】
サービス提供ｅＮＢ１ａと他のｅＮＢとの間の冗長な情報の相互作用を削減するために、サービス提供ｅＮＢ１ａは、リソース関連情報要求メッセージをそのサービス提供ｅＮＢ１ａによって選択された候補ｅＮＢだけに送信する。例えば、サービス提供ｅＮＢ１ａは、リソース関連情報要求メッセージを選択された候補ｅＮＢ１ｂおよび１ｃだけに送信する。このリソース関連情報要求メッセージは、リソース関連情報をサービス提供ｅＮＢ１ａに送信することを候補ｅＮＢ１ｂおよび１ｃに要求するために使用される。サービス提供ｅＮＢ１ａは、Ｘ２インターフェースを経由して、他のｅＮＢと相互作用する。
【００３６】
候補ｅＮＢがサービス提供ｅＮＢ１ａからリソース関連情報要求メッセージを受信した後で、この方法は、ステップＳ１４に進み、ｅＮＢ１ｂおよび１ｃはそれぞれ、それぞれのリソース関連情報をサービス提供ｅＮＢ１ａに送信する。サービス提供ｅＮＢ１ａは、ｅＮＢ１ｂおよび１ｃの利用可能なリソースに関する情報をそのリソース関連情報から抽出することが可能である。
【００３７】
当然、少なくとも２種類の形のリソース関連情報が存在する。すなわち、占有されたリソースの表示情報および利用可能なリソースの表示情報である。
【００３８】
リソース関連情報を説明するためにビットマップを例にとる。例えば、多重化係数が１であり、すなわち、それぞれのｅＮＢが同じ周波数リソースを利用することが可能であると仮定すると、それぞれのｅＮＢに関して利用可能な帯域幅は５Ｍである。それぞれのｅＮＢに関して、例えば、帯域幅５Ｍの割当て粒度はＲＢ（リソースブロック）である。ビットマップにおいて、０は、リソースブロックが利用可能であること、すなわちアイドルであることを示し、１は、リソースブロックが利用可能でないこと、すなわち、リソースブロックがすでに割り当てられていることを示し、逆も同様である。ビットマップは、リソース関連情報のパターンを形成するために索引付けされる。
【００３９】
例えば、ｅＮＢ１ｂおよび１ｃがそれぞれサービス提供ｅＮＢ１ａに送信する、それぞれのリソース関連情報において、ｅＮＢ１ｂのリソース関連情報のパターンは、ｅＮＢ１ｂのリソースブロック５番から３３番は割り当てられておらず、依然として利用可能であることを表示し、ｅＮＢ１ｃのリソース関連情報のパターンは、ｅＮＢ１ｃのリソースブロック１７番から４０番は利用可能であることを表示する。
【００４０】
次いで、ステップＳ１５において、サービス提供ｅＮＢ１ａは、ｅＮＢ１ｂおよび１ｃのリソース関連情報に従って、ｅＮＢ１ｂおよび１ｃの間の協調ｅＮＢを決定して、対応する通信リソースを割り当てる。
【００４１】
以下のシナリオでは、サービス提供ｅＮＢ１ａ、ならびにｅＮＢ１ｂおよび１ｃのそれぞれの間に共通の利用可能なリソースが存在する、いくつかのシナリオがそれぞれ議論される。
【００４２】
ｉ）サービス提供ｅＮＢ１ａとｅＮＢ１ｂとの間、またはサービス提供ｅＮＢ１ａとｅＮＢ１ｃとの間のどちらにも共通の利用可能なリソースが存在しない。
【００４３】
例えば、サービス提供ｅＮＢ１ａの利用可能なリソースは、リソースブロック４５番から６０番であり、やはり前述のパラメータを例にとり、すなわち、ｅＮＢ１ｂの利用可能なリソースは、リソースブロック５番から３３番であり、ｅＮＢ１ｃの利用可能なリソースは、リソースブロック１７番から４０番である。サービス提供ｅＮＢ１ａの利用可能なリソースは、ｅＮＢ１ｂの利用可能なリソースと交差せず、ｅＮＢ１ｃの利用可能なリソースとも交差しない。したがって、サービス提供ｅＮＢ１ａは、隣り合うセルｅＮＢと協調ＭＩＭＯを実行することはできない。したがって、この方法はここで終了し、後続のステップは不要である。
【００４４】
ｉｉ）サービス提供ｅＮＢ１ａ、ｅＮＢ１ｂおよびｅＮＢ１ｃの間に同じ共通の利用可能なリソースが存在する。
【００４５】
例えば、サービス提供ｅＮＢ１ａの利用可能なリソースは、リソースブロック１０番から２５番であり、やはり前述のパラメータを例にとり、すなわち、ｅＮＢ１ｂの利用可能なリソースは、リソースブロック５番から３３番であり、ｅＮＢ１ｃの利用可能なリソースは、リソースブロック１７番から４０番である。リソースブロック１７番から２５番は、サービス提供ｅＮＢ１ａ、ならびにｅＮＢ１ｂおよびｅＮＢ１ｃの間の同じ共通の利用可能なリソースである。したがって、サービス提供ｅＮＢ１ａは、ｅＮＢ１ｂとｅＮＢ１ｃとを両方とも協調ＭＩＭＯのための協調ｅＮＢと見なして、リソースブロック１７番から２５番の中のリソースをｅＮＢ１ｂおよびｅＮＢ１ｃに割り当てる。
【００４６】
ｉｉｉ）サービス提供ｅＮＢ１ａとｅＮＢ１ｂとの間、およびサービス提供ｅＮＢ１ａとｅＮＢ１ｃとの間にそれぞれ共通の利用可能なリソースが存在するが、サービス提供ｅＮＢ１ａとｅＮＢ１ｂとの間の共通の利用可能なリソースは、サービス提供ｅＮＢ１ａとｅＮＢ１ｃとの間の共通の利用可能なリソースと交差しない。
【００４７】
例えば、サービス提供ｅＮＢ１ａの利用可能なリソースは、リソースブロック１０番から２５番、およびリソースブロック５０番から６４番であり、ｅＮＢ１ｂの利用可能なリソースは、リソースブロック１５番から４５番であり、ｅＮＢ１ｃの利用可能なリソースは、リソースブロック４０番から６０番である。したがって、リソースブロック１５番から２５番は、サービス提供ｅＮＢ１ａとｅＮＢ１ｂとの間の共通の利用可能なリソースであり、リソースブロック５０番から６０番は、サービス提供ｅＮＢ１ａとｅＮＢ１ｃとの間の共通の利用可能なリソースであり、これらの２つの共通の利用可能なリソースは、互いと交差しない。この時、サービス提供ｅＮＢ１ａは、これらの２つの候補ｅＮＢの信号品質に従って、協調ｅＮＢとして、より良好な信号品質を有するｅＮＢをさらに選択する。例えば、ｅＮＢ１ｂとＭＳ２ａとの間の信号強度は９２ｄＢｍであり、ｅＮＢｌｃとＭＳ２ａとの間の信号強度は８５ｄＢｍである。ｅＮＢ１ｂとＭＳ２ａとの間の信号強度はｅＮＢ１ｃとＭＳ２ａとの間の信号強度よりも高いため、サービス提供ｅＮＢ１ａは、協調ｅＮＢとしてｅＮＢ１ｂを選択する。
【００４８】
次いで、サービス提供ｅＮＢ１ａは、ＭＳ２ａによって要求されたサービスのＱｏＳ（サービス品質）に従って、対応するＭＣＳ（変調および符号方式）を決定して、協調ＭＩＭＯを実行するために、そのＭＣＳ、リソース割当ての粒度、単一の割当てまたは一対の割当てに従って、サービス提供ｅＮＢ１ａと決定された協調ｅＮＢとに共通の利用可能なリソースの一部またはすべてを割り当てる。例えば、シナリオｉ）を例にとると、サービス提供ｅＮＢ１ａは、リソースブロック１７番から２５番のリソースブロック１８番から２１番をサービス提供ｅＮＢ１ａ、ｅＮＢ１ｂ、およびｅＮＢ１ｃに割り当て、その結果、サービス提供ｅＮＢ１ａ、ｅＮＢ１ｂ、およびｅＮＢ１ｃは、同じリソースブロック１８番から２１番の上で協調ＭＩＭＯを実行して、サービス提供ｅＮＢ１ａによってｅＮＢ１ｂおよびｅＮＢ１ｃに割り当てられた、協調ＭＩＭＯのためのリソースブロックのシーケンス番号１８〜２１を含む協調ＭＩＭＯ要求をｅＮＢ１ｂとｅＮＢ１ｃとに送信する。
【００４９】
異なる実施形態では、ステップＳ１１に先立って、この方法は、サービス提供ｅＮＢ１ａが測定報告を要求するための測定制御メッセージをＭＳ２ａに送信するステップであって、その測定制御メッセージが、所望されるＭＳ測定のタイプと、報告された測定値のしきい値とを含む、送信するステップをさらに備える。次いで、ステップＳ１２において、ＭＳ２ａは、サービス提供ｅＮＢ１ａから受信された測定制御メッセージに従って測定および報告する。
【００５０】
前述の実施形態では、ステップＳ１１において、サービス提供ｅＮＢ１ａは、ＭＳ２ａによって報告された測定報告を取得し、この測定報告は、ＭＳ２ａとサービス提供ｅＮＢ１ａとの間の信号品質だけでなく、ＭＳ２ａと他のｅＮＢとの間の信号品質も含む。異なる実施形態では、例えば、ＴＤＤシステムの場合、サービス提供ｅＮＢ１ａは、アップリンク・サウンディング信号（ｕｐｌｉｎｋ  ｓｏｕｎｄｉｎｇ  ｓｉｇｎａｌ）を経由して測定し、ＴＤＤシステムの相反性に従って、アップリンク信号品質から対応するダウンリンク信号品質を取得することが可能であり、したがって、サービス提供ｅＮＢ１ａは、ＭＳ２ａとの信号品質を独力で測定して、ＭＳ２ａによって報告された、このＭＳと他のｅＮＢとの間の信号品質関連情報を受信することが可能である。すなわち、ＭＳ２ａは、ＭＳ２ａとサービス提供ｅＮＢ１ａとの間の信号品質関連情報をそのサービス提供ｅＮＢ１ａに報告する必要がない。
【００５１】
前述の実施形態では、それぞれのＭＳとサービス提供ｅＮＢとの間の既存の測定制御および測定報告を再使用することが可能である。異なる実施形態では、ＭＳがより知的な傾向に向けて展開することを考慮して、そのコンピューティング速度および処理能力はますます高まっている。したがって、ある種の新しいシグナリングを定義することが可能であるか、または測定タイプ内にある種の新しい測定タイプが定義され、したがって、ステップＳ１２はＭＳによって終了可能であり、すなわち、ＭＳ２ａは、独自に測定された、サービス提供ｅＮＢ１ａおよび隣り合うｅＮＢ（例えば、ｅＮＢ１ｂ、ｅＮＢ１ｃ）との測定結果に従って、候補ｅＮＢとしてどの隣り合うセルｅＮＢが選択されるかを判定して、対応する候補ｅＮＢ表示情報を生成して、その候補ｅＮＢ表示情報をサービス提供ｅＮＢに送信する。詳細な判定プロセスは、前述のステップＳ１２において詳細に説明され、再度繰り返す必要はない。次いで、ステップＳ１３において、サービス提供ｅＮＢ１ａは、ＭＳ２ａからの候補ｅＮＢ表示情報に従って、リソース関連情報要求メッセージを対応する候補ｅＮＢに送信する。
【００５２】
前述の実施形態のステップＳ１３において、サービス提供ｅＮＢ１ａがリソース関連情報要求メッセージをｅＮＢ１ｂとｅＮＢ１ｃとに送信することは、ｅＮＢとｅＮＢとの間のシグナリング・オーバヘッドを削減するためである。シグナリング・オーバヘッドを考慮しない場合、ステップＳ１３は省略可能であり、例えば、隣り合うｅＮＢは、そのリソース関連情報をサービス提供ｅＮＢ１ａに周期的に報告することが可能であり、隣り合うｅＮＢは、サービス提供ｅＮＢ１ａからの要求メッセージの受信時にこの報告をトリガする必要はない。
【００５３】
前述の実施形態において、説明のために、ＭＳ２ａがＭＳ２ａと２つの隣り合うセルｅＮＢのそれぞれとの間の信号強度をサービス提供ｅＮＢ１ａに報告するシナリオを例にとる。異なる実施形態では、ＭＳ２ｂを例にとり、例えば、ＭＳ２ｂは、ＭＳ２ａと、ｅＮＢ１ｄ、ｅＮＢ１ｅ、およびｅＮＢ１ｂを含む複数の隣り合うセルｅＮＢのそれぞれとの間の信号強度をサービス提供ｅＮＢ１ａに報告する。図４は、詳細な実施形態としてＭＳ２ｂを利用して、サービス提供ｅＮＢ１ａによって実行されるステップＳ１２からステップＳ１５の方法の流れ図を示す。以下、図４と組み合わせて、この流れ図は以下のように説明される。
【００５４】
ステップＳ１２０において、まず、サービス提供ｅＮＢ１ａは、３つの隣り合うセルｅＮＢのそれぞれとＭＳ２ｂとの間の信号強度が第１の所定のしきい値よりも高いかどうかを判定する。
【００５５】
サービス提供ｅＮＢ１ａの判定結果が、３つの隣り合うセルｅＮＢのそれぞれとＭＳ２ｂとの間の信号強度が第１の所定のしきい値よりも高いというものである場合、この方法は、ステップＳ１２２’に進み、サービス提供ｅＮＢ１ａは、３つの隣り合うｅＮＢ１ｂ、１ｄ、および１ｅのすべてを協調ＭＩＭＯのための候補ｅＮＢと見なす。
【００５６】
サービス提供ｅＮＢ１ａの判定結果が、３つの隣り合うセルｅＮＢからの信号強度のすべてが第１の所定のしきい値より高いというわけではないというものである場合、例えば、ｅＮＢ１ｂからの信号強度は第１の所定のしきい値未満であるが、ｅＮＢ１ｄおよびｅＮＢ１ｅからの信号強度は第１の所定のしきい値よりも高い場合、この方法はステップＳ１２１に進み、サービス提供ｅＮＢ１ａは、第１の所定のしきい値未満であるｅＮＢの信号強度と、第１の所定のしきい値よりも高い、これらの信号強度内の最低の信号強度との間の差分値が第２の所定のしきい値よりも高いかどうかを判定する。例えば、第１の所定のしきい値は９０ｄＢｍであり、第２の所定のしきい値は１０ｄＢｍである。ｅＮＢ１ｄおよびｅＮＢ１ｅからの信号強度はそれぞれ１００ｄＢｍおよび９２ｄＢｍであり、ｅＮＢ１ｂからの信号強度は８８ｄＢｍである。サービス提供ｅＮＢ１ａは、まず、ｅＮＢ１ｄおよびｅＮＢ１ｅからの信号強度は第１の所定のしきい値よりも高いが、ｅＮＢ１ｂからの信号強度は第１の所定のしきい値未満であることを判定し、これにより、サービス提供ｅＮＢ１ａは、まず、ｅＮＢ１ｄおよび１ｅを候補ｅＮＢと見なし、次いで、この方法はステップＳ１２１に進み、サービス提供ｅＮＢ１ａは、ｅＮＢ１ｂからの信号品質とｅＮＢ１ｅからの信号品質との間の差分値をさらに比較し、サービス提供ｅＮＢは、ｅＮＢ１ｅからの信号品質９２ｄＢｍからｅＮＢ１ｂからの信号品質８８ｄＢｍを差し引いた差分値が第２の所定のしきい値未満であることを見出し、これにより、サービス提供ｅＮＢ１ａは、ｅＮＢ１ｂも候補ｅＮＢと見なす。
【００５７】
第１の所定のしきい値が９０ｄＢｍであり、第２の所定のしきい値が１０ｄＢｍであり、ｅＮＢ１ｄおよびｅＮＢ１ｅからの信号強度が、それぞれ、１００ｄＢｍおよび９５ｄＢｍであり、ｅＮＢ１ｂからの信号強度が８０ｄＢｍである場合、ステップＳ１２１において、サービス提供ｅＮＢ１ａの判定結果は、ｅＮＢ１ｂとＭＳとの間の信号強度と、ｅＮＢ１ｅとＭＳとの間の信号強度との間の差分値は第２の所定のしきい値より高いというものであり、これにより、ステップＳ１２２において、サービス提供ｅＮＢ１ａは、２つの隣り合うセルｅＮＢ１ｄおよび１ｅだけを協調ＭＩＭＯのための候補ｅＮＢと見なす。
【００５８】
さらに、１つのｅＮＢだけの信号品質が第１の所定のしきい値よりも高い場合、例えば、ｅＮＢ１ｄの信号品質だけが第１の所定のしきい値より高く、ｅＮＢ１ｂとｅＮＢ１ｄとの間の信号品質の差分値、およびｅＮＢ１ｅとｅＮＢ１ｄとの間の信号品質の差分値が両方とも第２の所定のしきい値よりも高い場合、サービス提供ｅＮＢ１ａの判定結果は、ｅＮＢ１ｄだけを協調ＭＩＭＯのための候補ｅＮＢと見なすというものである。
【００５９】
次いで、ステップＳ１３において、サービス提供ｅＮＢ１ａは、リソース関連情報要求メッセージを選択された候補ｅＮＢに送信し、次いで、ステップＳ１４において、サービス提供ｅＮＢは、それぞれの候補ｅＮＢからリソース関連情報を取得する。
【００６０】
次いで、ステップＳ１５０において、サービス提供ｅＮＢ１ａは、それぞれの候補ｅＮＢから利用可能なリソースがサービス提供ｅＮＢ１ａの利用可能なリソースと重複するかどうかを判定する。
【００６１】
２つの候補ｅＮＢを用いたシナリオは以上で議論されたため、再度繰り返す必要はない。以下、３つの候補ｅＮＢ、例えば、ｅＮＢ１ｂ、１ｄ、および１ｅを用いたシナリオが議論され、３つの候補ｅＮＢのそれぞれの利用可能なリソースは、サービス提供ｅＮＢ１ａの利用可能なリソースと共通の部分を有してもよく、または有さなくてもよい。
【００６２】
３つの候補ｅＮＢのそれぞれの利用可能なリソースが、サービス提供ｅＮＢ１ａの利用可能なリソースと同じでない場合、すなわち、３つの候補ｅＮＢのそれぞれの利用可能なリソースがサービス提供ｅＮＢ１ａの利用可能なリソースと重複しない場合、この方法は、ステップＳ１５３’’に進み、サービス提供ｅＮＢ１ａは、３つの候補ｅＮＢのすべてが、ＣＯ−ＭＩＭＯを実行するためにサービス提供ｅＮＢと協働可能であるというわけではないことを判定する。
【００６３】
３つの候補ｅＮＢのそれぞれの利用可能なリソースがサービス提供ｅＮＢ１ａの利用可能なリソースと共通の部分を有する場合、ステップＳ１５１において、サービス提供ｅＮＢ１ａは、適切な共通の利用可能なリソースが存在するかどうかを引き続き判定し、例えば、複数の候補ｅＮＢおよびサービス提供ｅＮＢ１ａの共通の利用可能なリソースが部分的に同じであるか、または同一であるかを判定する。候補ｅＮＢおよびサービス提供ｅＮＢの共通の利用可能なリソースが図５Ａに示すとおりである場合、同じ共通の利用可能なリソースは、斜線を用いた影によって示され、この場合、サービス提供ｅＮＢ１ａは、ステップＳ１５３に進むことを判定し、３つの候補ｅＮＢのすべてが同じ共通の利用可能なリソース上で協調ＭＩＭＯのためにサービス提供ｅＮＢ１ａと協働することが可能であり、サービス提供ｅＮＢ１ａは、それに応じて、斜線を用いた影に対応するリソースの一部またはすべてをサービス提供ｅＮＢ１ａ、ならびに他のｅＮＢ１ｂ、１ｄ、および１ｅに割り当て、例えば、２つの候補ｅＮＢとサービス提供ｅＮＢとの間の共通の利用可能なリソースは重複部分を有するが、もう１つの候補ｅＮＢとサービス提供ｅＮＢとの間に共通の利用可能なリソースが存在しない場合、同様に、２つの候補ｅＮＢとサービス提供ｅＮＢとの間の重複する共通の利用可能なリソースの一部またはすべてがＣＯ−ＭＩＭＯのためのリソースと見なされる。
【００６４】
複数の候補ｅＮＢのそれぞれとサービス提供ｅＮＢ１ａとの間にそれぞれ共通の利用可能なリソースが存在し、複数の候補ｅＮＢのいずれの２つの間にも共通の利用可能なリソースが存在しない場合、それぞれの候補ｅＮＢの信号品質に従って、ＭＳにサービス提供するためにサービス提供ｅＮＢと協働するための協調ｅＮＢとして、ＭＳとのその信号品質が複数の候補ｅＮＢの中で最善である候補ｅＮＢが選択される。図５Ｂを例にとると、候補ｅＮＢ１ｅおよび１ｂのそれぞれは、サービス提供ｅＮＢ１ａと共通の利用可能なリソースを有するが、２つの共通の利用可能なリソースの間に同じ部分は存在せず、この場合、ステップＳ１５３’において、サービス提供ｅＮＢ１ａは、サービス提供ｅＮＢ１ａと協働するための協調ｅＮＢとして、ＭＳ２ｂとのその信号品質が候補ｅＮＢの中で最善である候補ｅＮＢを選択する。例えば、ｅＮＢ１ｅとＭＳ２ｂとの間の信号強度は９５ｄＢｍであり、ｅＮＢ１ｂとＭＳ２ｂとの間の信号強度は８８ｄＢｍであり、この場合、サービス提供ｅＮＢ１ａは、協調ｅＮＢとしてｅＮＢ１ｅを選択し、ＣＯ−ＭＩＭＯを実行するために、サービス提供ｅＮＢ１ａおよび協調ｅＮＢ１ｅに関して、図５Ｂにおいて横線を用いた影によって示される、共通の利用可能なリソースの一部またはすべてを選択する。
【００６５】
例えば、図５Ｃに示すように、候補ｅＮＢ１ｂ、１ｄ、および１ｅのすべてとサービス提供ｅＮＢ１ａとの間に共通の利用可能なリソースが存在するというわけではない場合、候補ｅＮＢ１ｄおよび１ｂは、斜線を用いた影によって示される、サービス提供ｅＮＢ１ａと共通の利用可能なリソースを有し、候補ｅＮＢ１ｅは、横線を用いた影によって示される、サービス提供ｅＮＢ１ａと共通の利用可能なリソースを有し、これらの２つの共通の利用可能なリソースは互いと交差せず、この場合、ステップＳ１５３’において、サービス提供ｅＮＢ１ａは、最大数の候補ｅＮＢとサービス提供ｅＮＢとに割り当てるために利用可能な共通の利用可能なリソースに対応するそれぞれの候補ｅＮＢを、ＭＳ２ｂにサービス提供するためにサービス提供ｅＮＢ１ａと協働するための協調ｅＮＢと見なし、すなわち、図５Ｃに示すように、サービス提供ｅＮＢ１ａは、ｅＮＢ１ｄおよび１ｂを協調ｅＮＢと見なして、斜線を用いた影によって示される、対応する共通の利用可能なリソースに従って、ＣＯ−ＭＩＭＯのためのリソースをサービス提供ｅＮＢ１ａ、ならびに協調ｅＮＢ１ｂおよび協調ｅＮＢ１ｄに割り当てる。
【００６６】
第１の所定のしきい値、第２の所定のしきい値、および第３の所定のしきい値の前述の値は単なる例示であり、当業者は、異なるネットワーク構成など、実際の工学的要件に従って、適切なしきい値を選択することが可能である点を理解されよう。さらに、それぞれの実施形態における信号の値も単なる例示である。
【００６７】
以上、本発明の実施形態が方法の態様から詳細に説明され、以下、本発明の実施形態は、デバイスの態様から詳細に説明される。図６は、本発明の詳細な実施形態のデバイスのブロック図を示す。
【００６８】
サービス提供ｅＮＢと、移動局サービスを協調的に処理する１つまたは複数の協調ｅＮＢとに通信リソースを割り当てるための、サービス提供ｅＮＢ１ａの第１の協調デバイス１は、候補ｅＮＢを決定するための手段１０と、要求するための手段１１と、リソース情報を取得するための手段１２と、処理するための手段１３とを備える。候補ｅＮＢを決定するための手段１０は、信号品質を取得するための手段１００をさらに備え、処理するための手段１３は、リソース判定のための手段１３０と、リソース割当てのための手段１３１とをさらに備える。
【００６９】
サービス提供ｅＮＢがそのサービス提供ｅＮＢと移動局サービスを協調的に処理する１つまたは複数の協調ｅＮＢとに通信リソースを割り当てる際に支援するための、ＭＳ２ａの支援デバイス２は、測定のための手段２０、送信するための手段２１を備える。
【００７０】
サービス提供ｅＮＢがそのサービス提供ｅＮＢと移動局サービスを協調的に処理する１つまたは複数の協調ｅＮＢとに通信リソースを割り当てる際に支援するための、候補ｅＮＢ１ｂ、１ｃの第２の協調デバイス３は、要求を受信するための手段３０と、リソース情報を送信するための手段３１と、表示を取得するための手段３２と、通信のための手段３３とを備える。
【００７１】
ＭＳ２ａの支援デバイス２の測定のための手段２０は、ＭＳ２ａとサービス提供ｅＮＢ１ａとの間、およびＭＳ２ａと他のｅＮＢのそれぞれとの間の信号品質関連情報をそれぞれ測定する。この実施形態では、信号強度を用いた信号品質関連情報が例示される。この場合、これは単なる例示であり、信号品質関連情報は前述の内容に限定されず、ＲＳＳＩ（受信信号強度表示）、ＲＳＲＰ（参照信号の受信電力）、ＣＱＩ（チャネル品質表示）、またはＣＳＩ（チャネル状態表示）であってもよい点を理解されよう。
【００７２】
ＭＳ２ａはセルエッジ領域に配置され、測定のための手段２０は、例えば、それぞれ、１１０ｄＢｍ、９２ｄＢｍ、８５ｄＢｍ、および５０ｄＢｍである、サービス提供ｅＮＢ１ａとの信号強度と、隣り合うセルｅＮＢ１ｂ、１ｃ、および１ｄのそれぞれとの信号強度とを検出することが可能である。
【００７３】
次いで、送信するための手段２１は、サービス提供ｅＮＢ１ａおよび複数の他のｅＮＢのそれぞれとの信号品質関連情報をｅＮＢ１ａの信号品質を取得するための手段１００に報告する。この信号品質関連情報は、この実施形態ではＲＳＳＩである、報告された測定値のタイプを含み、測定された値をさらに含む。
【００７４】
詳細には、ＭＳ２ａが報告するときは、以下の２つの様式に分割可能である。
【００７５】
事象トリガ
ネットワーク・エントリの段階で、ＭＳ２ａは、複数のｅＮＢ間で協調ＭＩＭＯを実行するために、その信号強度が第３の所定のしきい値を超える他のｅＮＢと、これらのｅＮＢに対応する信号強度とをサービス提供ｅＮＢ１ａの信号品質を取得するための手段１００に報告する必要があることを知る。例えば、ＭＳ２ａ内に事前に格納された、報告されたしきい値は８０ｄＢｍであり、すなわち、測定のための手段２０が、ｅＮＢに対応する信号強度が８０ｄＢｍを超えることを検出するとき、測定のための手段２０は、このｅＮＢと、このｅＮＢに対応する信号強度とをサービス提供ｅＮＢ１ａに報告することになる。例えば、測定のための手段２０が、隣り合うセルｅＮＢ１ｂ、１ｃ、および１ｄとの信号強度がそれぞれ９２ｄＢｍ、８５ｄＢｍ、および５０ｄＢｍであることを検出するとき、アップリンク・シグナリング・オーバヘッドを削減させて、協調ＭＩＭＯの信頼性を増大させるために、送信するための手段２１は、良好な信号品質を有する隣り合うセルｅＮＢ、すなわち、ｅＮＢ１ｂとｅＮＢ１ｃとを含めて、その信号強度が第３の所定のしきい値を超えるｅＮＢと、ＭＳ２ａとｅＮＢ１ｂとの間の信号強度、ＭＳ２ａとｅＮＢ１ｃとの間の信号強度だけをサービス提供ｅＮＢ１ａに報告する。したがって、送信するための手段２１は、ＭＳ２ａとのその信号強度が、それぞれ、１１０ｄＢｍ、９２ｄＢｍ、および８５ｄＢｍである、サービス提供ｅＮＢ１ａと、他のｅＮＢ１ｂおよび１ｃとをサービス提供ｅＮＢ１ａに報告する。
【００７６】
または、異なる実施形態では、ＭＳ２ａがその測定された信号強度が最強である２つの隣り合うセルｅＮＢの信号強度だけを報告することを指定することが可能である。やはり前述のパラメータを例にとり、この場合、送信するための手段２１は、それぞれ、１１０ｄＢｍ、９２ｄＢｍ、および８５ｄＢｍである、サービス提供ｅＮＢ１ａと、その信号強度が最強である２つの隣り合うセルｅＮＢとの信号強度をサービス提供ｅＮＢ１ａに報告する。
【００７７】
さらに、別法として、システムのアップリンク・シグナリング・オーバヘッドが考慮されない場合、ＭＳ２ａが隣り合うセルｅＮＢからの信号を検出すると、ＭＳ２ａは、この隣り合うセルｅＮＢと、この隣り合うセルｅＮＢに対応する信号強度とをサービス提供ｅＮＢ１ａに報告することが可能であり、すなわち、ＭＳ２ａは、検出された信号強度のすべてと、これらの検出された信号強度に対応するｅＮＢとをサービス提供ｅＮＢ１ａに報告する。例えば、ＭＳ２ａは、それぞれ、１１０ｄＢｍ、９２ｄＢｍ、８５ｄＢｍ、および５０ｄＢｍである、サービス提供ｅＮＢ１ａ、ならびにｅＮＢ１ｂ、１ｃ、および１ｄとの信号強度を報告する。
【００７８】
周期的なトリガ
ＭＳ２ａは、測定報告を送信するためのタイマを備え、そのタイマが所定の時間に達したとき、それは、ＭＳ２ａが、複数の他のｅＮＢの検出された信号品質関連情報をサービス提供ｅＮＢ１ａの信号品質を取得するための手段１００に報告する必要があることを意味する。例えば、そのタイマが切れた場合、送信するための手段２１は、それぞれ、１１０ｄＢｍ、９２ｄＢｍ、および８５ｄＢｍである、サービス提供ｅＮＢ１ａ、他のｅＮＢ１ｂおよび１ｃのそれぞれとＭＳ２ａとの間の信号強度をサービス提供ｅＮＢ１ａの信号品質を取得するための手段１００に報告するか、または送信するための手段２１は、それぞれ、１１０ｄＢｍ、９２ｄＢｍ、８５ｄＢｍ、および５０ｄＢｍである、サービス提供ｅＮＢ１ａ、ｅＮＢ１ｂ、１ｃおよび１ｄのそれぞれとの信号強度を報告する。
【００７９】
サービス提供ｅＮＢ１ａの第１の協調デバイスの候補ｅＮＢを決定するための手段１０は、ＭＳ２ａによって報告された信号品質関連情報に従って、ｅＮＢ１ｂおよび１ｃを候補ｅＮＢとして決定する。
【００８０】
詳細には、第１の所定のしきい値は、候補ｅＮＢを決定するための手段１０内に事前に格納され、この第１の所定のしきい値は、物理的な信号強度に従って、このサービス提供ｅＮＢ１ａと共にＭＳ２ａのサービスを協調的に処理するために、このサービス提供ｅＮＢ１ａによって所望される候補ｅＮＢを選択するために使用される。候補ｅＮＢを決定するための手段１０が候補ｅＮＢを選択するとき、少なくともＲＳＳＩ値の大きさが考慮され、さらに、候補ｅＮＢを決定するための手段１０は、ｅＮＢ１ｂとｅＮＢ１ｃとの間の信号強度の差分値を考慮する必要がある場合もある。
【００８１】
例えば、候補ｅＮＢを決定するための手段１０内に事前に格納された第１の所定のしきい値は９０ｄＢｍであり、第２の所定のしきい値は１０ｄＢｍである。第２の所定のしきい値は、複数の他のｅＮＢ間の信号強度の差分レベルを判定するために使用される。
【００８２】
やはり前述のパラメータを例にとる。候補ｅＮＢを決定するための手段１０は、まず、他のｅＮＢからの信号強度が第１の所定のしきい値９０ｄＢｍよりも高いかどうかを判定する。
【００８３】
両方の隣り合うセルｅＮＢの信号強度が第１の所定のしきい値よりも高い場合、これらの２つの隣り合うセルｅＮＢは両方とも候補ｅＮＢと見なされる。例えば、図１に示すようなＭＳ２ｂの場合、ＭＳ２ｂは、サービス提供ｅＮＢ１ａ、他のｅＮＢ１ｄおよび１ｅのそれぞれとの信号強度をサービス提供ｅＮＢ１ａに報告する。信号品質を取得するための手段１００によって、かつＭＳ２ｂの報告から取得された、ＭＳ２ｂと隣り合うセルｅＮＢ１ｄおよび１ｅのそれぞれとの間の信号強度が、それぞれ、両方とも９０ｄＢｍよりも高い、９５ｄＢｍおよび１０５ｄＢｍである場合、候補ｅＮＢを決定するための手段１０は、ｅＮＢ１ｄおよび１ｅを両方とも候補ｅＮＢと見なす。
【００８４】
２つの隣り合うセルｅＮＢの１つのｅＮＢだけの信号強度値が第１の所定のしきい値よりも高く、これらの２つの隣り合うセルｅＮＢの信号強度間の差分値が第２の所定のしきい値よりも高い場合、候補ｅＮＢを決定するための手段１０は、その信号強度が第１の所定のしきい値よりも高いｅＮＢだけを候補ｅＮＢと見なす。例えば、図１に示すようなＭＳ２ｃの場合、ＭＳ２ｃは、サービス提供ｅＮＢ１ａ、他のｅＮＢ１ｂおよび１ｇのそれぞれとの信号強度をサービス提供ｅＮＢ１ａに報告する。信号品質を取得するための手段１００によって、かつＭＳ２ｃの報告から取得された、ＭＳ２ｃと隣り合うセルｅＮＢ１ｂおよび１ｇのそれぞれのとの間の信号強度が、それぞれ、１００ｄＢｍおよび８０ｄＢｍであり、１００ｄＢｍだけが９０ｄＢｍより高く、これらの２つの信号強度の差分値が、第２の所定のしきい値１０ｄＢｍよりも高い２０ｄＢｍである場合、候補ｅＮＢを決定するための手段１０は、他のｅＮＢ１ｂだけを候補ｅＮＢと見なす。
【００８５】
２つの隣り合うセルｅＮＢの１つのｅＮＢだけの信号強度が第１の所定のしきい値よりも高く、これらの２つの隣り合うセルｅＮＢの信号強度間の差分値が第２の所定のしきい値未満である場合、候補ｅＮＢを決定するための手段１０は、２つの隣り合うセルｅＮＢを両方とも候補ｅＮＢと見なす。例えば、ＭＳ２ａの場合、ＭＳ２ａは、サービス提供ｅＮＢ１ａ、他のｅＮＢ１ｂおよび１ｃのそれぞれとの信号強度をサービス提供ｅＮＢ１ａに報告する。信号品質を取得するための手段１００によって、かつＭＳ２ａの報告から取得された、ＭＳ２ａと隣り合うセルｅＮＢ１ｂおよび１ｃのそれぞれとの間の信号強度が、それぞれ、９２ｄＢｍおよび８５ｄＢｍであり、９２ｄＢｍだけが９０ｄＢｍよりも高く、これらの２つの信号強度の差分値が第２の所定のしきい値１０ｄＢｍ未満の７ｄＢｍである場合、候補ｅＮＢを決定するための手段１０は、他のｅＮＢ１ｂおよび１ｃを両方とも候補ｅＮＢと見なす。この実施は隣り合うセルｅＮＢの信号強度に対する制限を広げる。というのも、２つの隣り合うセルｅＮＢのそれぞれの信号強度の異なる値は第２の所定のしきい値未満であり、信号強度は互いに対して相対的に近く、その結果、１つの信号は強すぎ、もう１つは弱すぎるという理由で、より弱い信号を覆い隠さないことになるためである。
【００８６】
次いで、要求するための手段１１は、リソース関連情報要求メッセージをｅＮＢ１ｂとｅＮＢ１ｃとに送信する。
【００８７】
サービス提供ｅＮＢ１ａと他のｅＮＢとの間の冗長な情報の相互作用を削減するために、要求するための手段１１は、リソース関連情報要求メッセージを要求するための手段１１によって選択された候補ｅＮＢだけに送信する。例えば、要求するための手段１１は、リソース関連情報要求メッセージを選択された候補ｅＮＢ１ｂおよび１ｃに送信する。このリソース関連情報要求メッセージは、リソース関連情報をサービス提供ｅＮＢ１ａに送信することを候補ｅＮＢ１ｂおよび１ｃに要求するために使用される。要求するための手段１１は、Ｘ２インターフェースを経由して、他のｅＮＢと相互作用する。
【００８８】
候補ｅＮＢ１ｂ、１ｃの第２の協調デバイス３の要求を受信するための手段３０が、サービス提供ｅＮＢ１ａからリソース関連情報要求メッセージを受信した後で、そのリソース情報を送信するための手段３１はそれぞれ、それぞれのリソース関連情報をサービス提供ｅＮＢ１ａに送信する。サービス提供ｅＮＢ１ａのリソース情報を取得するための手段１２は、そのリソース関連情報からｅＮＢ１および１ｃの利用可能なリソースに関する情報を抽出することが可能である。
【００８９】
当然、少なくとも２種類の形のリソース関連情報が存在する。すなわち、占有されたリソースの表示情報および利用可能なリソースの表示情報である。
【００９０】
リソース関連情報を説明するためにビットマップを例にとる。例えば、多重化係数が１であり、すなわち、それぞれのｅＮＢが同じ周波数リソースを利用することが可能であると仮定すると、それぞれのｅＮＢに関して利用可能な帯域幅は５Ｍである。それぞれのｅＮＢに関して、例えば、帯域幅５Ｍの割当て粒度はＲＢ（リソースブロック）である。ビットマップにおいて、０は、リソースブロックが利用可能であること、すなわちアイドルであることを示し、１は、リソースブロックが利用可能でないこと、すなわち、リソースブロックがすでに割り当てられていることを示し、逆も同様である。ビットマップは、リソース関連情報のパターンを形成するために索引付けされる。
【００９１】
例えば、ｅＮＢ１ｂおよび１ｃがそれぞれサービス提供ｅＮＢ１ａに送信する、それぞれのリソース関連情報において、ｅＮＢ１ｂのリソース関連情報のパターンは、ｅＮＢ１ｂのリソースブロック５番から３３番は割り当てられておらず、依然として利用可能であることを表示し、ｅＮＢ１ｃのリソース関連情報のパターンは、ｅＮＢ１ｃのリソースブロック１７番から４０番は利用可能であることを表示する。
【００９２】
第１の協調デバイス１の処理するための手段１３は、ｅＮＢ１ｂおよび１ｃのリソース関連情報に従って、ｅＮＢ１ｂおよび１ｃの間の協調ｅＮＢを決定して、対応する通信リソースを割り当てる。
【００９３】
以下のシナリオでは、サービス提供ｅＮＢ１ａ、ならびにｅＮＢ１ｂおよび１ｃのそれぞれの間に共通の利用可能なリソースが存在する、リソース判定のための手段１３０によって判定されるいくつかの判定シナリオがそれぞれ議論される。
【００９４】
ｉ）サービス提供ｅＮＢ１ａとｅＮＢ１ｂとの間、またはサービス提供ｅＮＢ１ａとｅＮＢ１ｃとの間共通の利用可能なリソースが存在しない。
【００９５】
例えば、サービス提供ｅＮＢ１ａの利用可能なリソースは、リソースブロック４５番から６０番であり、やはり前述のパラメータを例にとり、すなわち、ｅＮＢ１ｂの利用可能なリソースは、リソースブロック５番から３３番であり、ｅＮＢ１ｃの利用可能なリソースは、リソースブロック１７番から４０番である。サービス提供ｅＮＢ１ａの利用可能なリソースは、ｅＮＢ１ｂの利用可能なリソースと交差せず、ｅＮＢ１ｃの利用可能なリソースとも交差しない。したがって、サービス提供ｅＮＢ１ａは、隣り合うセルｅＮＢと協調ＭＩＭＯを実行することはできない。
【００９６】
ｉｉ）サービス提供ｅＮＢ１ａ、ｅＮＢ１ｂおよびｅＮＢ１ｃの間に同じ共通の利用可能なリソースが存在する。
【００９７】
例えば、サービス提供ｅＮＢ１ａの利用可能なリソースは、リソースブロック１０番から２５番であり、やはり前述のパラメータを例にとり、すなわち、ｅＮＢ１ｂの利用可能なリソースは、リソースブロック５番から３３番であり、ｅＮＢ１ｃの利用可能なリソースは、リソースブロック１７番から４０番である。リソースブロック１７番から２５番は、サービス提供ｅＮＢ１ａ、ならびにｅＮＢ１ｂおよびｅＮＢ１ｃの間の同じ共通の利用可能なリソースである。したがって、処理するための手段１３は、ｅＮＢ１ｂとｅＮＢ１ｃとを両方とも協調ＭＩＭＯのための協調ｅＮＢと見なして、処理するための手段１３のリソース割当てのための手段１３１は、リソースブロック１７番から２５番の中のリソースをｅＮＢ１ｂおよびｅＮＢ１ｃに割り当てる。
【００９８】
ｉｉｉ）サービス提供ｅＮＢ１ａとｅＮＢ１ｂとの間、およびサービス提供ｅＮＢ１ａとｅＮＢ１ｃとの間にそれぞれ共通の利用可能なリソースが存在するが、サービス提供ｅＮＢ１ａとｅＮＢ１ｂとの間の共通の利用可能なリソースは、サービス提供ｅＮＢ１ａとｅＮＢ１ｃとの間の共通の利用可能なリソースと交差しない。
【００９９】
例えば、サービス提供ｅＮＢ１ａの利用可能なリソースは、リソースブロック１０番から２５番、およびリソースブロック５０番から６４番であり、ｅＮＢ１ｂの利用可能なリソースは、リソースブロック１５番から４５番であり、ｅＮＢ１ｃの利用可能なリソースは、リソースブロック４０番から６０番である。したがって、リソースブロック１５番から２５番は、サービス提供ｅＮＢ１ａとｅＮＢ１ｂとの間の共通の利用可能なリソースであり、リソースブロック５０番から６０番は、サービス提供ｅＮＢ１ａとｅＮＢ１ｃとの間の共通の利用可能なリソースであり、これらの２つの共通の利用可能なリソースは、互いと交差しない。この時、サービス提供ｅＮＢ１ａは、これらの２つの候補ｅＮＢの信号品質に従って、協調ｅＮＢとして、より良好な信号品質を有するｅＮＢをさらに選択する。例えば、ｅＮＢ１ｂとＭＳ２ａとの間の信号強度は９２ｄＢｍであり、ｅＮＢｌｃとＭＳ２ａとの間の信号強度は８５ｄＢｍである。ｅＮＢ１ｂとＭＳ２ａとの間の信号強度はｅＮＢ１ｃとＭＳ２ａとの間の信号強度よりも高いため、処理のための手段１３は、協調ｅＮＢとしてｅＮＢ１ｂを選択する。
【０１００】
次いで、サービス提供ｅＮＢ１ａは、ＭＳ２ａによって要求されたサービスのＱｏＳ（サービス品質）に従って、対応するＭＣＳ（変調および符号方式）を決定して、協調ＭＩＭＯを実行するために、そのＭＣＳ、リソース割当ての粒度、単一の割当てまたは一対の割当てに従って、サービス提供ｅＮＢ１ａと決定された協調ｅＮＢとに共通の利用可能なリソースの一部またはすべてを割り当てる。例えば、シナリオｉ）を例にとると、リソース割当てのための手段１３１は、リソースブロック１７番から２５番のリソースブロック１８番から２１番をサービス提供ｅＮＢ１ａ、ｅＮＢ１ｂ、およびｅＮＢ１ｃに割り当て、その結果、サービス提供ｅＮＢ１ａ、ｅＮＢ１ｂ、およびｅＮＢ１ｃは、同じリソースブロック１８番から２１番の上で協調ＭＩＭＯを実行して、サービス提供ｅＮＢ１ａによってｅＮＢ１ｂおよびｅＮＢ１ｃに割り当てられた、協調ＭＩＭＯのためのリソースブロックのシーケンス番号１８〜２１を含む協調ＭＩＭＯ要求をｅＮＢ１ｂとｅＮＢ１ｃとに送信する。
【０１０１】
次いで、第２の協調デバイス３の表示を取得するための手段３２は、第１の協調デバイスからリソース割当て表示メッセージを取得し、このリソース割当て表示メッセージは、協調ｅＮＢとしてこの候補ｅＮＢを表示して、その協調ｅＮＢに割り当てられた、対応する通信リソースを表示するために使用され、通信のための手段３３は、表示を取得するための手段３２によって取得されたリソース割当て表示メッセージに従って、この候補ｅＮＢを、ＭＳ２ａにサービス提供するためにサービス提供ｅＮＢと協働するための協調ｅＮＢとして決定し、その対応する通信リソースを用いて、ＭＳにサービス提供するためにサービス提供ｅＮＢと協働する。
【０１０２】
異なる実施形態では、第１の協調デバイス１は、測定報告を要求するための測定制御メッセージをＭＳ２ａに送信し、この測定制御メッセージは、所望されるＭＳ測定のタイプと、報告された測定値のしきい値とを含む。次いで、ＭＳ２ａの測定のための手段２０は、サービス提供ｅＮＢ１ａから受信された測定制御メッセージに従って測定および報告する。
【０１０３】
前述の実施形態では、サービス提供ｅＮＢ１ａの候補ｅＮＢを決定するための手段１０は、ＭＳ２ａによって報告された測定報告を取得し、この測定報告は、ＭＳ２ａとサービス提供ｅＮＢ１ａとの間の信号品質だけでなく、ＭＳ２ａと他のｅＮＢとの間の信号品質も含む。異なる実施形態では、例えば、ＴＤＤシステムの場合、サービス提供ｅＮＢ１ａは、アップリンク・サウンディング信号を経由して測定し、ＴＤＤシステムの相反性に従って、アップリンク信号品質から対応するダウンリンク信号品質を取得することが可能であり、したがって、サービス提供ｅＮＢ１ａは、ＭＳ２ａとの信号品質を独力で測定して、ＭＳ２ａによって報告された、このＭＳと他のｅＮＢとの間の信号品質関連情報を受信することが可能である。すなわち、ＭＳ２ａは、ＭＳ２ａとサービス提供ｅＮＢ１ａとの間の信号品質関連情報をそのサービス提供ｅＮＢ１ａに報告する必要がない。
【０１０４】
前述の実施形態では、それぞれのＭＳとサービス提供ｅＮＢとの間の既存の測定制御および測定報告を再使用することが可能である。異なる実施形態では、ＭＳがより知的な傾向に向けて展開することを考慮して、そのコンピューティング速度および処理能力はますます高まっている。したがって、ある種の新しいシグナリングを定義することが可能であるか、または測定タイプ内にある種の新しい測定タイプが定義され、したがって、ＭＳは、独自に測定された、サービス提供ｅＮＢ１ａおよび隣り合うｅＮＢ（例えば、ｅＮＢ１ｂ、ｅＮＢ１ｃ）との測定結果に従って、候補ｅＮＢとしてどの隣り合うセルｅＮＢが選択されるかを判定して、対応する候補ｅＮＢ表示情報を生成するための、推奨するための手段（図示せず）を備え、その候補ｅＮＢ表示情報を第１の協調デバイス１の候補ｅＮＢを決定するための手段１０に送信する。詳細な判定プロセスは、以上で詳細に説明され、再度繰り返す必要はない。次いで、ｅＮＢのリソース情報を取得するための手段１２は、ＭＳ２ａからの候補ｅＮＢ表示情報に従って、リソース関連情報要求メッセージを対応する候補ｅＮＢに送信する。
【０１０５】
要求するための手段１１がリソース関連情報要求メッセージをｅＮＢ１ｂとｅＮＢ１ｃとに送信することは、ｅＮＢとｅＮＢとの間のシグナリング・オーバヘッドを削減するためである。シグナリング・オーバヘッドを考慮しない場合、要求するための手段１１は省略可能であり、例えば、隣り合うｅＮＢは、そのリソース関連情報をサービス提供ｅＮＢ１ａのリソース情報を取得するための手段１２に周期的に報告することが可能であり、隣り合うｅＮＢは、要求するための手段１１からの要求メッセージの受信時にこの報告をトリガする必要はない。
【０１０６】
前述の実施形態において、説明のために、ＭＳ２ａがＭＳ２ａと２つの隣り合うセルｅＮＢのそれぞれとの間の信号強度をサービス提供ｅＮＢ１ａに報告するシナリオを例にとる。異なる実施形態では、ＭＳ２ｂを例にとり、例えば、ＭＳ２ｂは、ＭＳ２ａと、ｅＮＢ１ｄ、ｅＮＢ１ｅ、およびｅＮＢ１ｂを含む複数の隣り合うセルｅＮＢのそれぞれとの間の信号強度をサービス提供ｅＮＢ１ａに報告する。以下、もう１つの実施形態に従って、第１の協調デバイス１が以下のように説明される。
【０１０７】
まず、候補ｅＮＢを決定するための手段１０は、まず、３つの隣り合うセルｅＮＢのそれぞれとＭＳ２ｂとの間の信号強度が第１の所定のしきい値よりも高いかどうかを判定する。
【０１０８】
候補ｅＮＢを決定するための手段１０の判定結果が、３つの隣り合うセルｅＮＢのそれぞれとＭＳ２ｂとの間の信号強度が第１の所定のしきい値より高いというものである場合、候補ｅＮＢを決定するための手段１０は、３つの隣り合うｅＮＢ１ｂ、１ｄ、および１ｅのすべてを協調ＭＩＭＯのための候補ｅＮＢと見なす。
【０１０９】
候補ｅＮＢを決定するための手段１０の判定結果が、３つの隣り合うセルｅＮＢからの信号強度のすべてが第１の所定のしきい値より高いというわけではないというものである場合、例えば、ｅＮＢ１ｂからの信号強度は第１の所定のしきい値未満であるが、ｅＮＢ１ｄおよびｅＮＢ１ｅからの信号強度は第１の所定のしきい値よりも高い場合、候補ｅＮＢを決定するための手段１０は、第１の所定のしきい値未満であるｅＮＢの信号強度と、第１の所定のしきい値よりも高い、これらの信号強度内の最低の信号強度との間の差分値が第２の所定のしきい値よりも高いかどうかを判定する。例えば、第１の所定のしきい値は９０ｄＢｍであり、第２の所定のしきい値は１０ｄＢｍである。ｅＮＢ１ｄおよびｅＮＢ１ｅからの信号強度はそれぞれ１００ｄＢｍおよび９２ｄＢｍであり、ｅＮＢ１ｂからの信号強度は８８ｄＢｍである。候補ｅＮＢを決定するための手段１０は、まず、ｅＮＢ１ｄおよびｅＮＢ１ｅからの信号強度は第１の所定のしきい値よりも高いが、ｅＮＢ１ｂからの信号強度は第１の所定のしきい値未満であることを判定し、これにより、候補ｅＮＢを決定するための手段１０は、まず、ｅＮＢ１ｄおよび１ｅを候補ｅＮＢと見なし、次いで、サービス提供ｅＮＢ１ａは、ｅＮＢ１ｂからの信号品質とｅＮＢ１ｅからの信号品質との間の差分値をさらに比較し、サービス提供ｅＮＢは、ｅＮＢ１ｅからの信号品質９２ｄＢｍからｅＮＢ１ｂからの信号品質８８ｄＢｍを差し引いた差分値が第２の所定のしきい値未満であることを見出し、これにより、候補ｅＮＢを決定するための手段１０は、ｅＮＢ１ｂも候補ｅＮＢと見なす。
【０１１０】
第１の所定のしきい値が９０ｄＢｍであり、第２の所定のしきい値が１０ｄＢｍであり、ｅＮＢ１ｄおよびｅＮＢ１ｅからの信号強度が、それぞれ、１００ｄＢｍおよび９５ｄＢｍであり、ｅＮＢ１ｂからの信号強度が８０ｄＢｍである場合、候補ｅＮＢを決定するための手段１０の判定結果は、ｅＮＢ１ｂとＭＳとの間の信号強度と、ｅＮＢ１ｅとＭＳとの間の信号強度との間の差分値は第２の所定のしきい値より高いというものであり、これにより、候補ｅＮＢを決定するための手段１０は、２つの隣り合うセルｅＮＢ１ｄおよび１ｅだけを協調ＭＩＭＯのための候補ｅＮＢと見なす。
【０１１１】
さらに、１つのｅＮＢだけの信号品質が第１の所定のしきい値よりも高い場合、例えば、ｅＮＢ１ｄの信号品質だけが第１の所定のしきい値より高く、ｅＮＢ１ｂとｅＮＢ１ｄとの間の信号品質の差分値、およびｅＮＢ１ｅとｅＮＢ１ｄとの間の信号品質の差分値が両方とも第２の所定のしきい値よりも高い場合、候補ｅＮＢを決定するための手段１０の判定結果は、ｅＮＢ１ｄだけを協調ＭＩＭＯのための候補ｅＮＢと見なすというものである。
【０１１２】
次いで、サービス提供ｅＮＢ１ａの要求のための手段１１は、リソース関連情報要求メッセージを選択された候補ｅＮＢに送信し、次いで、リソース関連情報を取得するための手段１２は、それぞれの候補ｅＮＢからリソース関連情報を取得する。
【０１１３】
次いで、サービス提供ｅＮＢ１ａを処理するための手段１３のリソース判定のための手段１３０は、それぞれの候補ｅＮＢから利用可能なリソースがサービス提供ｅＮＢ１ａの利用可能なリソースと重複するかどうかを判定する。
【０１１４】
２つの候補ｅＮＢを用いたシナリオは以上で議論されたため、再度繰り返す必要はない。以下、３つの候補ｅＮＢ、例えば、ｅＮＢ１ｂ、１ｄ、および１ｅを用いたシナリオが議論され、３つの候補ｅＮＢのそれぞれの利用可能なリソースは、サービス提供ｅＮＢ１ａの利用可能なリソースと共通の部分を有してもよく、または有さなくてもよい。
【０１１５】
３つの候補ｅＮＢのそれぞれの利用可能なリソースが、サービス提供ｅＮＢ１ａの利用可能なリソースと同じでない場合、すなわち、３つの候補ｅＮＢのそれぞれの利用可能なリソースがサービス提供ｅＮＢ１ａの利用可能なリソースと重複しない場合、リソース判定のための手段１３０は、３つの候補ｅＮＢのすべてが、ＣＯ−ＭＩＭＯを実行するためにサービス提供ｅＮＢと協働可能であるというわけではないことを判定する。
【０１１６】
３つの候補ｅＮＢのそれぞれの利用可能なリソースがサービス提供ｅＮＢ１ａの利用可能なリソースと共通の部分を有する場合、リソース判定のための手段１３０は、適切な共通の利用可能なリソースが存在するかどうかを引き続き判定し、例えば、複数の候補ｅＮＢおよびサービス提供ｅＮＢ１ａの共通の利用可能なリソースが部分的に同じであるか、または同一であるかを判定する。候補ｅＮＢおよびサービス提供ｅＮＢの共通の利用可能なリソースが図５Ａに示すとおりである場合、同じ共通の利用可能なリソースは、斜線を用いた影によって示され、この場合、リソース判定のための手段１３０は、３つの候補ｅＮＢのすべてが同じ共通の利用可能なリソース上で協調ＭＩＭＯのためにサービス提供ｅＮＢ１ａと協働することが可能であり、サービス提供ｅＮＢ１ａは、それに応じて、斜線を用いた影に対応するリソースの一部またはすべてをサービス提供ｅＮＢ１ａ、ならびに他のｅＮＢ１ｂ、１ｄ、および１ｅに割り当て、例えば、２つの候補ｅＮＢとサービス提供ｅＮＢとの間の共通の利用可能なリソースは重複部分を有するが、もう１つの候補ｅＮＢとサービス提供ｅＮＢとの間に共通の利用可能なリソースが存在しない場合、同様に、２つの候補ｅＮＢとサービス提供ｅＮＢとの間の重複する共通の利用可能なリソースの一部またはすべてがＣＯ−ＭＩＭＯのためのリソースと見なされる。
【０１１７】
複数の候補ｅＮＢのそれぞれとサービス提供ｅＮＢ１ａとの間にそれぞれ共通の利用可能なリソースが存在し、複数の候補ｅＮＢのいずれの２つの間にも共通の利用可能なリソースが存在しない場合、それぞれの候補ｅＮＢの信号品質に従って、ＭＳにサービス提供するためにサービス提供ｅＮＢと協働するための協調ｅＮＢとして、ＭＳとのその信号品質が複数の候補ｅＮＢの中で最善である候補ｅＮＢが選択される。図５Ｂを例にとると、候補ｅＮＢ１ｅおよび１ｂのそれぞれは、サービス提供ｅＮＢ１ａと共通の利用可能なリソースを有するが、２つの共通の利用可能なリソースの間に同じ部分は存在せず、この場合、処理するための手段１３は、サービス提供ｅＮＢ１ａと協働するための協調ｅＮＢとして、ＭＳ２ｂとのその信号品質が候補ｅＮＢの中で最善である候補ｅＮＢを選択する。例えば、ｅＮＢ１ｅとＭＳ２ｂとの間の信号強度は９５ｄＢｍであり、ｅＮＢ１ｂとＭＳ２ｂとの間の信号強度は８８ｄＢｍであり、この場合、サービス提供ｅＮＢ１ａは、協調ｅＮＢとしてｅＮＢ１ｅを選択し、ＣＯ−ＭＩＭＯを実行するために、サービス提供ｅＮＢ１ａおよび協調ｅＮＢ１ｅに関して、図５Ｂにおいて横線を用いた影によって示される、共通の利用可能なリソースの一部またはすべてを選択する。
【０１１８】
例えば、図５Ｃに示すように、候補ｅＮＢ１ｂ、１ｄ、および１ｅのすべてとサービス提供ｅＮＢ１ａとの間に共通の利用可能なリソースが存在するというわけではない場合、候補ｅＮＢ１ｄおよび１ｂは、斜線を用いた影によって示される、サービス提供ｅＮＢ１ａと共通の利用可能なリソースを有し、候補ｅＮＢ１ｅは、横線を用いた影によって示される、サービス提供ｅＮＢ１ａと共通の利用可能なリソースを有し、これらの２つの共通の利用可能なリソースは互いと交差せず、この場合、処理のための手段１３は、最大数の候補ｅＮＢとサービス提供ｅＮＢとに割り当てるために利用可能な共通の利用可能なリソースに対応するそれぞれの候補ｅＮＢを、ＭＳ２ｂにサービス提供するためにサービス提供ｅＮＢ１ａと協働するための協調ｅＮＢと見なし、すなわち、図５Ｃに示すように、サービス提供ｅＮＢ１ａは、ｅＮＢ１ｄおよび１ｂを協調ｅＮＢと見なして、斜線を用いた影によって示される、対応する共通の利用可能なリソースに従って、ＣＯ−ＭＩＭＯのためのリソースをサービス提供ｅＮＢ１ａ、協調ｅＮＢ１ｂおよび協調ｅＮＢ１ｄに割り当てる。
【０１１９】
本発明の実施形態が上で説明されているが、本発明は特定のシステム、装置、および特定のプロトコルに限定されず、当業者は、添付の特許請求の範囲の範囲内で改変および修正を行うことが可能である。
【図１】
0005373925.tif 000002
【図２】
0005373925.tif 000003
【図３】
0005373925.tif 000004
【図４】
0005373925.tif 000005
【図５Ａ】
0005373925.tif 000006
【図５Ｂ】
0005373925.tif 000007
【図５Ｃ】
0005373925.tif 000008
【図６】
0005373925.tif 000009